(57)【要約】【課題】装置の薄型化が図れるとともに、製造時に位置ズレが生じても正常にディスク検出が行える記録媒体検出装置および記録媒体検出装置を備えた記録媒体再生装置を提供する。【解決手段】記録再生装置１の記録媒体Ｄの挿入などの検出を行う記録媒体検出装置において、導光板５６のＬＥＤからの光が入射する入射部Ｂと、ＰＤ５５へ光を出射する出射部Ｃと、に回折格子５６ａ、５６ｂを設けた。【選択図】図４
2009230775.tif 000002
【特許請求の範囲】
【請求項１】
記録媒体の搬送路の一方側に配置された光源および受光部と、他方側に配置された導光板と、前記光源から前記導光板を介して前記受光部までの光路が遮られたか否かで前記記録媒体の存在を検出する検出手段と、を備えた記録媒体検出装置において、
前記導光板の、前記光源からの光が入射する入射部と、前記入射部から入射した光を前記受光部へ光を出射する出射部と、に回析格子を設けたことを特徴とする記録媒体検出装置。
【請求項２】
前記回折格子の幅が、前記光源および前記受光部が配置される位置の最大公差よりも大きいことを特徴とする請求項１に記載の記録媒体検出装置。
【請求項３】
前記出射部に設けられた前記回折格子が、前記光源が出射した波長の光のみを前記受光部へ出射することを特徴とする請求項１または２に記載の記録媒体検出装置。
【請求項４】
請求項１乃至３のうちいずれか一項に記載の記録媒体検出装置を備えた記録媒体再生装置。
【発明の詳細な説明】
【技術分野】
【０００１】
本発明は、光源と受光部との間の光路を遮断することで記録媒体の存在を検出する記録媒体検出装置および記録媒体検出装置を備えた記録媒体再生装置に関する。
【背景技術】
【０００２】
ＣＤ（Compact Disc）やＤＶＤ（Digital Versatile Disc）などの記録媒体を再生する装置において、装置筐体の前面パネルに設けたスリット状の開口部から記録媒体を挿入または排出する方式が、特に車載機器などに多く用いられている。
【０００３】
この方式では、記録媒体の搬送路を挟んで光源と受光部を配置して、その光路が遮られたことで記録媒体の検出を行うことが多いが、この場合、搬送路を挟んで両端に基板が必要となりコストアップとなってしまう。そこで、例えば特許文献１に記載の光ディスク検出装置のように、開口部の光ディスクの搬送路を挟んで一方に光源としてＬＥＤ（Light Emitting Diode）および受光部としてフォトセンサを配置して、搬送路を挟んで他方にプリズムを配置して、ＬＥＤが出射した光をプリズム（導光板）でフォトセンサの位置まで導いてフォトセンサに対して出射して、このＬＥＤ−プリズム−フォトセンサという光路が光ディスクで遮られたか否かを検出することで光ディスクの挿入や排出を検出することが提案されている。
【特許文献１】特開平８−２９７９０７号公報
【発明の開示】
【発明が解決しようとする課題】
【０００４】
しかしながら、特許文献１に記載された光ディスク検出装置では、図１に示すように、透明な高屈折率の樹脂で形成された導光板１０１は、導光板１０１の一端に設けた４５度の角度の反射面で光源１０２からの光を導光板１０１内に全反射して、他端に設けた４５度の角度の反射面で受光部１０３へ全反射するために、導光板１０１の厚みが光源１０２からの光束幅分必要となり、そのために、光ディスク再生装置などの記録媒体再生装置の薄型化が困難であった。
【０００５】
また、光源１０２および受光部１０３を基板に取り付ける際のばらつきや、基板および導光板１０１をメカに取り付ける際のばらつきによっては、導光板１０１を経た光と受光部１０３とで位置ズレが生じる場合があり、特許文献１に記載の光ディスク検出装置では位置ズレに対する余裕度が少なく正常なディスクの検出が困難となる場合があった。
【０００６】
そこで、本発明は、例えば装置の薄型化が図れるとともに、製造時に位置ズレが生じても正常に記録媒体の検出が行える記録媒体検出装置および記録媒体検出装置を備えた記録媒体再生装置を提供することを課題とする。
【課題を解決するための手段】
【０００７】
上記課題を解決するために、請求項１に記載の記録媒体検出装置は、記録媒体の搬送路の一方側に配置された光源および受光部と、他方側に配置された導光板と、前記光源から前記導光板を介して前記受光部までの光路が遮られたか否かで前記記録媒体の存在を検出する検出手段と、を備えた記録媒体検出装置において、前記導光板の、前記光源からの光が入射する入射部と、前記入射部から入射した光を前記受光部へ光を出射する出射部と、に回析格子を設けたことを特徴としている。
【発明を実施するための最良の形態】
【０００８】
以下、本発明の一実施形態にかかる記録媒体検出装置を説明する。本発明の一実施形態にかかる記録媒体検出装置は、導光板の入射部と出射部とに回折格子を設けたので、導光板の両端に４５度の全反射面が不要となり、光源の光束幅の影響を受けないことから、導光板を薄くすることができるため装置の薄型化が図れる。
【０００９】
また、回折格子の幅が、光源および受光部が配置される位置の最大公差よりも大きくしてもよい。このようにすることにより、光源および受光部を基板に取り付ける際のばらつきや、基板および導光板をメカに取り付ける際のばらつきに対する余裕ができるので、位置ズレが生じても正常に記録媒体の検出を行うことができる。
【００１０】
また、出射部に設けられた回折格子が、光源が出射した波長の光のみ受光部へ出射してもよい。このようにすることにより、光源からの光以外で受光部が反応することが少なくなるので、誤動作を少なくすることができる。
【００１１】
また、記録媒体再生装置が上述した記録媒体再生装置を備えてもよい。このようにすることにより、記録媒体再生装置の薄型化が図れると共に、製造時に位置ズレが生じても正常に記録媒体の検出を行うことができる。
【実施例】
【００１２】
本発明の一実施例にかかる記録媒体再生装置としての記録再生装置１を図２乃至図６を参照して説明する。
【００１３】
本発明の一実施例にかかる記録媒体再生装置としての記録再生装置１は、図２に示すように、シャーシ部分２２と天板２３とで形成された方形箱状の筐体２１を備えており、該筐体２１の前面には、記録媒体Ｄを挿入排出する為の開口部２５が、図２中Ｙ軸方向に沿って延びる横長形状に設けられている。したがって、開口部２５からＸ軸方向に搬送路が設けられている。そして、記録再生装置１は、ＣＤ、ＤＶＤ等の円盤状記録媒体の記録および再生を行う。
【００１４】
開口部２５の下側近傍であるシャーシ部分２２の前面パネル２４の外側面には、図３に示すように、記録媒体Ｄの搬送方向（図２中、Ｘ軸方向）に沿って設けられている第１の回動軸Ｏを中心にそれぞれ回動自在に左右一対のシャッター部材３０，３０が配置されている。
【００１５】
前面パネル２４の外側面に沿ってそれぞれ回動自在に軸支されたシャッター部材３０は、開口部２５の少なくとも一部分を覆って記録媒体Ｄの挿入を阻止する阻止位置と、開口部２５を開放して記録媒体Ｄの挿入排出を可能とする開放位置との間を移動自在とされた挿入阻止部３１を揺動先端側に備えた略矩形状板である。
【００１６】
本実施例におけるシャッター部材３０は、図３に示すように、シャーシ部分２２の底壁との間に介装された引張りコイルバネ３５の弾性力によって、それぞれ開放方向に常時付勢されている。尚、シャッター部材３０を開放方向に常時付勢する付勢力は、バネの弾性力を利用して付勢するものに限らず、シャッター部材３０に錘をつけて重力で付勢する方法等のどの様な力で付勢しても良い。
【００１７】
又、前面パネル２４の外側面と対向するシャッター部材３０の内側面には、該前面パネル２４の上縁部２４ａに当接して開放方向への回動を規制する為の係止ピン３３が突設されている。更に、各シャッター部材３０における第１の回動軸Ｏと挿入阻止部３１との間には、後述する揺動アーム４０の揺動先端部４１が挿通して係合する係合用開口３２が形成されており、シャッター部材３０と揺動アーム４０との係合部分が設けられている。
【００１８】
一方、シャーシ部分２２の前方部分（前面パネル２４側部分）には、図３に示すように、開口部２５の長手方向に平行な方向（Ｙ軸方向）に設けられた第２の回動軸Ｐを中心に回動自在に揺動アーム４０が配置されている。揺動アーム４０の第１の端部は、シャッター部材３０の係合用開口３２にそれぞれ対応する一対の揺動先端部４１，４１を備えており、各揺動先端部４１が係合用開口３２に挿通されている。
【００１９】
そこで、一対のシャッター部材３０，３０は、図示しない駆動装置により駆動させられる駆動部材としての該揺動アーム４０の回動に連動して阻止位置又は開放位置に移動させられる。
【００２０】
ここで、シャッター部材３０の阻止位置では、揺動アーム４０は水平姿勢となり、シャッター部材３０の開放位置では、揺動アーム４０は前下りの傾斜姿勢となる。
【００２１】
又、第２の回動軸Ｐに対し揺動先端部４１と反対側に位置する揺動アーム４０の第２の端部には、記録媒体Ｄと当接して記録媒体Ｄの挿入排出を行う挿入排出ローラ４２が設けられている。挿入排出ローラ４２は、記録媒体Ｄの対向面に対して押圧付勢された状態で、図示しない回転駆動装置により適宜正逆回転させることにより、開口部２５から筐体２１内に挿入された記録媒体Ｄを搬送してシャーシ部分２２の後方部分に装備された記録／再生部（図示せず）に装填したり、記録／再生が終わった記録媒体Ｄを開口部２５から筐体２１外に排出したりする為の搬送部材の一例である。
【００２２】
又、シャーシ部分２２の底壁と揺動アーム４０との間には基板５０が設けられている。基板５０には、光源としてのＬＥＤ５１，５４と、受光部としてのＰＤ（Photo Diode）５２，５５と、制御回路５７および図示しない電子部品等が設けられている。ＬＥＤ５１とＰＤ５２およびＬＥＤ５４とＰＤ５５とはそれぞれ記録媒体Ｄの搬送路と直交するように基板５０上で所定の間隔を空けて設けられている。また、揺動アーム４０のＬＥＤ５１とＰＤ５２に対応する位置には、孔が設けられており、ＬＥＤ５１から後述する導光板５３に光が出射および導光板５３からの光がＰＤ５２に入射できるようになっている。
【００２３】
又、天板２３の、ＬＥＤ５１とＰＤ５２に対向する位置には導光板５３が設けられ、同様にＬＥＤ５４とＰＤ５５に対向する位置には導光板５６が設けられている。
【００２４】
そして、記録媒体Ｄが、ＬＥＤ５１、導光板５３、ＰＤ５２で構成された光路または、ＬＥＤ５４、導光板５６、ＰＤ５５で構成された光路のうちいずれかを遮ると、ＰＤ５２または５５から光を受光していないことを示す信号が基板５０に設けられた検出手段としての制御回路５７で検出され、制御回路５７が記録媒体Ｄを検出したと判断し、前記回転駆動装置を制御して挿入排出ローラ４２を回転させる。
【００２５】
つまり、本実施例では、ＬＥＤ５１，５４、ＰＤ５２，５５、導光板５３，５６および制御回路５７で記録媒体検出装置を構成している。なお、ＬＥＤ、ＰＤ、導光板から構成される光路は１箇所でもよい。
【００２６】
次に、図４に図３のＱ線に沿う断面図を示す。以下、ＬＥＤ５４、導光板５６、ＰＤ５５で構成された光路で説明するが、ＬＥＤ５１、導光板５３、ＰＤ５２で構成された光路の場合も同様である。
【００２７】
導光板５６は、透明な樹脂などで形成され、図４に示すように、ＬＥＤ５４からの光が入射する入射部Ｂ、およびＰＤ５５へ光を出射する出射部Ｃに回折格子５６ａ，５６ｂを設けている。図５に入射部Ｂ、図６に出射部Ｃの拡大図を示す。回折格子５６ａ，５６ｂは、図３中の左右方向（図２のＹ方向）と直交するようにスリット状に格子が複数設けられている。
【００２８】
図５に示したように、ＬＥＤ５４からの光（光束）は、回折格子５６ａによって回折光となって導光板５６内の導波路へ導かれる。導光板５６内の導波路は、回折格子５６ａによる回折光が全反射するように形成されている。従って、回折光は導波路内の内壁で全反射を繰り返して出射部Ｃの回折格子５６ｂに導かれる。なお、導波路内の内壁で全反射される光の波長はＬＥＤ５４が出射する波長と同一である。
【００２９】
出射部Ｃでは、図６に示したように、導波路内の内壁で全反射を繰り返して導かれた回折光が回折格子５６ｂによって、ＰＤ５５へ向かう光となって出射される。なお、回折格子５６ｂからＰＤ５５へ向かう光の波長はＬＥＤ５４が出射する波長と同一である。
【００３０】
本実施例によれば、記録再生装置１の記録媒体Ｄの挿入などの検出を行う記録媒体検出装置において、導光板５６のＬＥＤ５４からの光が入射する入射部Ｂと、ＰＤ５５へ光を出射する出射部Ｃと、に回折格子５６ａ，５６ｂを設けたので、導光板５６内の両端に４５度の全反射面が不要となり、ＬＥＤ５４の光束幅の影響を受けないので、導光板５６を薄くすることができるために装置の薄型化が図れる。
【００３１】
なお、回折格子の幅は、少なくともＬＥＤ５４の光束幅程度およびＰＤ５５の受光部分の幅程度あればよいが、さらにＬＥＤ５４やＰＤ５５の寸法や他の部品部材の公差を考慮してＬＥＤ５４の光束幅やＰＤ５５の受光部分の幅よりも広くすれば、製造時に位置ズレなどが生じても正常に記録媒体Ｄの検出を行うことができるようになる。なお、回折格子の幅とは、図３中の左右方向（図２のＹ方向）を示す。
【００３２】
前述した実施例によれば、以下の記録媒体検出装置が得られる。
【００３３】
（付記）記録媒体Ｄの搬送路の一方側に配置されたＬＥＤ５４およびＰＤ５５と、他方側に配置された導光板５６と、ＬＥＤ５４から導光板５６を介してＰＤ５５までの光路が遮られたか否かで記録媒体Ｄの存在を検出する制御回路５７と、を備えた記録媒体検出装置において、
導光板５６の、ＬＥＤ５４からの光が入射する入射部Ｂと、ＰＤ５５へ光を出射する出射部Ｃと、に回析格子５６ａ、５６ｂを設けたことを特徴とする記録媒体検出装置。
【００３４】
この記録媒体検出装置によれば、導光板５６内の両端に４５度の全反射面が不要となり、ＬＥＤ５４の光束幅の影響を受けないので、導光板５６を薄くすることができるため装置の薄型化が図れる。
【００３５】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００３６】
【図１】従来の記録媒体検出装置の説明図である。
【図２】本発明の一実施例にかかる記録媒体検出装置を備えた記録再生装置の全体斜視図である。
【図３】図２に示された記録再生装置におけるシャーシ部分の平面図である。
【図４】図３のＱ線に沿う断面図である。
【図５】図４における入射部の拡大図である。
【図６】図４における出射部の拡大図である。
【符号の説明】
【００３７】
１               記録再生装置（記録媒体再生装置）
５１、５４       ＬＥＤ（光源）
５２、５５       ＰＤ（受光部）
５３、５６       導光板
５６ａ、５６ｂ   回折格子
５７             制御回路（検出手段）
Ｂ               入射部
Ｃ               出射部
【図１】
2009230775.tif 000003
【図２】
2009230775.tif 000004
【図３】
2009230775.tif 000005
【図４】
2009230775.tif 000006
【図５】
2009230775.tif 000007
【図６】
2009230775.tif 000008